【手続補正書】
【提出日】平成19年10月22日(2007.10.22)
【手続補正１】
【補正対象書類名】明細書
【補正対象項目名】特許請求の範囲
【補正方法】変更
【補正の内容】
【特許請求の範囲】
【請求項１】  光源手段と、前記光源手段から出射された光束を偏向手段へ導光する第１の光学系と、前記偏向手段によって偏向された光束を被走査面上に結像させる第２の光学系を備え、
前記第１の光学系又は前記第２の光学系の中に少なくとも１つのプラスチック材料からなる屈折光学素子と少なくとも１つの回折光学素子を有する光走査装置であって、
前記光源手段から出射された光束の初期状態の発振波長が変化したときの前記プラスチック材料からなる屈折光学素子による前記被走査面におけるピント移動を前記回折光学素子のパワー変化で相殺できるときの前記回折光学素子のパワーを第１パワーとし、
環境温度が変化したときに前記プラスチック材料からなる屈折光学素子によって生じる前記被走査面におけるピント移動を前記回折光学素子のパワー変化で相殺できるときの前記回折光学素子のパワーを第２パワーとしたとき、
前記回折光学素子のパワーは、前記第１パワーと前記第２パワーとの間の第３のパワーに設定されており、
前記回折光学素子のパワーを前記第１パワーとしたときの環境温度変化により生じる前記被走査面におけるピント移動量をｄΔＳλ＿Ｔとし、
前記回折光学素子のパワーを前記第２パワーとしたときの前記光源手段の初期状態の使用波長の変化によって生じる前記被走査面におけるピント移動量をｄΔＳＴ＿λとし、
前記回折光学素子のパワーを前記第３パワーとしたときの環境温度変化によって生じる前記被走査面におけるピント移動量をｄΔＳ＿Ｔとし、
前記回折光学素子のパワーを前記第３パワーとしたときの前記光源手段の初期状態の使用波長の変化によって生じる前記被走査面におけるピント移動量をｄΔＳ＿λとしたとき次式を満足することを特徴とする光走査装置。
｜ｄΔＳＴ＿λ｜≧｜ｄΔＳλ＿Ｔ｜ならば  ｜ｄΔＳ＿Ｔ｜≧｜ｄΔＳ＿λ｜
｜ｄΔＳＴ＿λ｜＜｜ｄΔＳλ＿Ｔ｜ならば  ｜ｄΔＳ＿Ｔ｜≦｜ｄΔＳ＿λ｜ 
【請求項２】  前記回折光学素子は、副走査方向にパワーを有することを特徴とする請求項１に記載の光走査装置。
【請求項３】  前記回折光学素子は、前記第１の光学系に設けられていることを特徴とする請求項２に記載の光走査装置。
【請求項４】  前記第１の光学系は、副走査方向にパワーを有するプラスチック材料からなる屈折光学素子を有し、前記屈折光学素子の面上に前記副走査方向にパワーを有する回折光学素子が設けられていることを特徴とする請求項３に記載の光走査装置。
【請求項５】  前記第２の光学系の副走査方向の縦倍率をαｓ（倍）としたとき、前記第１の光学系を構成する副走査方向にパワーを有するプラスチック材料からなる屈折光学素子の焦点距離ｆｃｌ（ｍｍ）は、次式を満足することを特徴とする請求項４に記載の光走査装置。
ｆｃｌ≦５００／αｓ
【請求項６】  請求項１乃至５のいずれか１項に記載の光走査装置と、前記被走査面に配置された感光体と、前記光走査装置で走査された光束によって前記感光体の上に形成された静電潜像をトナー像として現像する現像器と、前記現像されたトナー像を被転写材に転写する転写手段と、転写されたトナー像を被転写材に定着させる定着器とから成ることを特徴とする画像形成装置。
【請求項７】  請求項１乃至５のいずれか１項に記載の光走査装置と、外部機器から入力したコードデータを画像データに変換して前記光走査装置に入力せしめるプリンタコントローラとから成ることを特徴とする画像形成装置。
【手続補正２】
【補正対象書類名】明細書
【補正対象項目名】００１７
【補正方法】変更
【補正の内容】
【００１７】
【課題を解決するための手段】
請求項１の発明の光走査装置は、光源手段と、前記光源手段から出射された光束を偏向手段へ導光する第１の光学系と、前記偏向手段によって偏向された光束を被走査面上に結像させる第２の光学系を備え、
前記第１の光学系又は前記第２の光学系の中に少なくとも１つのプラスチック材料からなる屈折光学素子と少なくとも１つの回折光学素子を有する光走査装置であって、
前記光源手段から出射された光束の初期状態の発振波長が変化したときの前記プラスチック材料からなる屈折光学素子による前記被走査面におけるピント移動を前記回折光学素子のパワー変化で相殺できるときの前記回折光学素子のパワーを第１パワーとし、
環境温度が変化したときに前記プラスチック材料からなる屈折光学素子によって生じる前記被走査面におけるピント移動を前記回折光学素子のパワー変化で相殺できるときの前記回折光学素子のパワーを第２パワーとしたとき、
前記回折光学素子のパワーは、前記第１パワーと前記第２パワーとの間の第３のパワーに設定されており、
前記回折光学素子のパワーを前記第１パワーとしたときの環境温度変化により生じる前記被走査面におけるピント移動量をｄΔＳλ＿Ｔとし、
前記回折光学素子のパワーを前記第２パワーとしたときの前記光源手段の初期状態の使用波長の変化によって生じる前記被走査面におけるピント移動量をｄΔＳＴ＿λとし、
前記回折光学素子のパワーを前記第３パワーとしたときの環境温度変化によって生じる前記被走査面におけるピント移動量をｄΔＳ＿Ｔとし、
前記回折光学素子のパワーを前記第３パワーとしたときの前記光源手段の初期状態の使用波長の変化によって生じる前記被走査面におけるピント移動量をｄΔＳ＿λとしたとき次式を満足することを特徴としている。
｜ｄΔＳＴ＿λ｜≧｜ｄΔＳλ＿Ｔ｜ならば  ｜ｄΔＳ＿Ｔ｜≧｜ｄΔＳ＿λ｜
｜ｄΔＳＴ＿λ｜＜｜ｄΔＳλ＿Ｔ｜ならば  ｜ｄΔＳ＿Ｔ｜≦｜ｄΔＳ＿λ｜ 
【手続補正３】
【補正対象書類名】明細書
【補正対象項目名】００１８
【補正方法】変更
【補正の内容】
【００１８】
請求項２の発明は請求項１の発明において、前記回折光学素子は、副走査方向にパワーを有することを特徴としている。
【手続補正４】
【補正対象書類名】明細書
【補正対象項目名】００１９
【補正方法】変更
【補正の内容】
【００１９】
請求項３の発明は請求項２の発明において、前記回折光学素子は、前記第１の光学系に設けられていることを特徴としている。
【手続補正５】
【補正対象書類名】明細書
【補正対象項目名】００２０
【補正方法】変更
【補正の内容】
【００２０】
請求項４の発明は請求項３の発明において、前記第１の光学系は、副走査方向にパワーを有するプラスチック材料からなる屈折光学素子を有し、前記屈折光学素子の面上に前記副走査方向にパワーを有する回折光学素子が設けられていることを特徴としている。
【手続補正６】
【補正対象書類名】明細書
【補正対象項目名】００２１
【補正方法】変更
【補正の内容】
【００２１】
請求項５の発明は請求項４の発明において、前記第２の光学系の副走査方向の縦倍率をαｓ（倍）としたとき、前記第１の光学系を構成する副走査方向にパワーを有するプラスチック材料からなる屈折光学素子の焦点距離ｆｃｌ（ｍｍ）は、次式を満足することを特徴としている。
ｆｃｌ≦５００／αｓ
【手続補正７】
【補正対象書類名】明細書
【補正対象項目名】００２２
【補正方法】変更
【補正の内容】
【００２２】
請求項６の発明の画像形成装置は、請求項１乃至５のいずれか１項に記載の光走査装置と、前記被走査面に配置された感光体と、前記光走査装置で走査された光束によって前記感光体の上に形成された静電潜像をトナー像として現像する現像器と、前記現像されたトナー像を被転写材に転写する転写手段と、転写されたトナー像を被転写材に定着させる定着器とから成ることを特徴としている。
【手続補正８】
【補正対象書類名】明細書
【補正対象項目名】００２３
【補正方法】変更
【補正の内容】
【００２３】
請求項７の発明の画像形成装置は、請求項１乃至５のいずれか１項に記載の光走査装置と、外部機器から入力したコードデータを画像データに変換して前記光走査装置に入力せしめるプリンタコントローラとから成ることを特徴としている。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００３０
【補正方法】変更
【補正の内容】
【００３０】
同図において、光源手段である半導体レーザ１から出射された光束は、コリメータレンズ２と絞り３そしてシリンドリカルレンズ４とを含む第１結像光学系（第１の光学系）によって偏向手段５に入射している。ここで半導体レーザ１からの光束は、コリメータレンズ２により平行光束とされ、絞り３で光束を制限されてシリンドリカルレンズ４へ入射し、主走査方向はそのまま平行光束として透過し、副走査方向は収束光束とされて主走査方向に長手の線像として偏向手段５の偏向面５ａに結像される。
【手続補正１５】
【補正対象書類名】明細書
【補正対象項目名】００３１
【補正方法】変更
【補正の内容】
【００３１】
偏向手段５はポリゴンミラーより成り、回転軸５ｂを回転中心として等速回転することにより、半導体レーザ１から発せられた光束を反射偏向している。該ポリゴンミラー５で反射偏向された光束は第１ｆθレンズ６ａと第２ｆθレンズ６ｂの２枚のｆθレンズ６ａ，６ｂで構成させるｆθ特性を有する第２結像光学系（第２の光学系）６によって主走査・副走査方向共に集光され、被走査面である感光体ドラム面７上を光走査している。
【手続補正１６】
【補正対象書類名】明細書
【補正対象項目名】０１１６
【補正方法】変更
【補正の内容】
【０１１６】
本実施形態においては、実施形態１に対してシリンドリカルレンズのレンズバックを変更した。これを焦点距離で比較すると、実施形態１では焦点距離ｆｃｌ＝３５．８１ｍｍであり、本実施形態では焦点距離ｆｃｌ＝２１．３０ｍｍである。